(57)【要約】【課題】無線ネットワーク中の中継局のチャネルのキャパシティは有限であり、場合によっては中継局のセル内のトラフィック需要をサポートするには不十分である。【解決手段】【請求項１】無線ネットワークにおいて接続パラメータを調整する方法である。該方法は、第１のチャネルを用いて基地局と第１の無線接続を確立する段階と、第２のチャネルを用いて端末と第２の無線接続を確立する段階と、前記第２のチャネルを用いた前記端末との前記第２の無線接続の少なくとも１つのパラメータの修正を要求する修正要求メッセージを、前記第１のチャネルを用いて介して前記基地局から前記第１の無線接続を受信する段階と、前記第２のチャネルを用いた前記第２の無線接続の少なくとも１つのパラメータを修正することを前記端末に通知する段階と、前記第２のチャネルを用いた前記第２の無線接続の修正された前記少なくとも１つのパラメータを有するように、前記第２のチャネルを用いた前記第２の無線接続を修正する段階とを有する。【選択図】図２
2008048415.tif 000002
【特許請求の範囲】
【請求項１】
無線ネットワークにおいて接続パラメータを調整する方法であって、
第１のチャネルを用いて基地局と第１の無線接続を確立する段階と、
第２のチャネルを用いて端末と第２の無線接続を確立する段階と、
前記第２のチャネルを用いた前記端末との前記第２の無線接続の少なくとも１つのパラメータの修正を要求する修正要求メッセージを、前記第１のチャネルを用いて介して前記基地局から前記第１の無線接続を受信する段階と、
前記第２のチャネルを用いた前記第２の無線接続の少なくとも１つのパラメータを修正することを前記端末に通知する段階と、
前記第２のチャネルを用いた前記第２の無線接続の修正された前記少なくとも１つのパラメータを有するように、前記第２のチャネルを用いた前記第２の無線接続を修正する段階とを有する方法。
【請求項２】
無線ネットワークにおける接続パラメータを調整する方法であって、
第２のチャネルを用いて端末と第２の無線接続を確立した中継局と、第１のチャネルを用いて第１の無線接続を確立する段階と、
前記第２のチャネルを用いて前記第２の無線接続の少なくとも１つのパラメータの修正トリガーを識別する段階と、
前記第２のチャネルを用いた前記第２の無線接続の修正された前記少なくとも１つのパラメータを有するように、前記第２のチャネルを用いた前記第２の無線接続を前記中継局が修正することを要求する修正要求メッセージを、前記第１のチャネルを用いた前記第１の無線接続を介して前記中継局に送信する段階とを有する方法。
【請求項３】
無線ネットワークにおいて接続パラメータを調整するシステムであって、
第１のチャネルを用いて基地局と第１の無線接続を確立し、
第２のチャネルを用いて端末と第２の無線接続を確立し、
前記第２のチャネルを用いた前記端末との前記第２の無線接続の少なくとも１つのパラメータの修正を要求する修正要求メッセージを、前記第１のチャネルを用いて介して前記基地局から前記第１の無線接続を受信し、
前記第２のチャネルを用いた前記第２の無線接続の少なくとも１つのパラメータを修正することを前記端末に通知するインターフェイスと、
前記第２のチャネルを用いた前記第２の無線接続の修正された前記少なくとも１つのパラメータを有するように、前記第２のチャネルを用いた前記第２の無線接続を修正する、前記インターフェイスと結合したプロセッサとを有するシステム。
【請求項４】
前記インターフェイスは、さらに
前記第２のチャネルを用いた前記第２の無線接続の前記少なくとも１つのパラメータに前記要求された修正をすることを示す肯定的応答を前記基地局に送信し、
前記第２のチャネルを用いた前記第２の無線接続の新しいアイデンティティと修正された前記少なくとも１つのパラメータとを有する更新アイデンティティメッセージを、前記基地局から受信し、
前記更新アイデンティティメッセージを前記端末に転送し、
前記端末が修正された前記第２の無線接続を使用することを要求するハンドオーバー要求メッセージを前記端末に送信し、
前記第２のチャネルを用いた修正された前記第２の無線接続を介して、前記端末との接続を確立するのに前記新しいアイデンティティを使用する、請求項３に記載のシステム。
【請求項５】
前記プロセッサはさらに、第１のタイマーをスタートさせ、
前記インターフェイスはさらに、前記更新アイデンティティメッセージの受信前に前記第１のタイマーが時間切れとなったとき、前記第２のチャネルを用いた前記第２の無線接続の前記少なくとも１つのパラメータに要求された前記修正がなされることを示す繰り返し肯定的応答を前記基地局に送信する、請求項４に記載のシステム。
【請求項６】
前記プロセッサは、さらに
第２のタイマーをスタートさせ、
前記第２のタイマーが時間切れとなったとき、前記第２のチャネルを用いた前記第２の無線接続の修正された前記少なくとも１つのパラメータを有するように、前記第２のチャネルを用いた前記第２の無線接続を修正する、請求項４に記載のシステム。
【請求項７】
前記更新アイデンティティメッセージは移動近傍通知（ＭＯＢ＿ＮＢＲ−ＡＤＶ）を有する、請求項４に記載のシステム。
【請求項８】
前記第２のチャネルを用いた前記第２の無線接続の修正された前記少なくとも１つのパラメータは、前記第２のチャネルを用いた前記第２の無線接続の修正された中心周波数を含む、請求項３記載のシステム。
【請求項９】
前記第２のチャネルを用いた前記第２の無線接続の修正された前記少なくとも１つのパラメータは、前記第２のチャネルを用いた前記第２の無線接続の修正された帯域幅を含む、請求項３記載のシステム。
【請求項１０】
無線ネットワークにおける接続パラメータを調整するシステムであって、
第２のチャネルを用いて端末と第２の無線接続を確立した中継局と、第１のチャネルを用いて第１の無線接続を確立するインターフェイスと、
前記第２のチャネルを用いて前記第２の無線接続の少なくとも１つのパラメータの修正トリガーを識別する、前記インターフェイスと結合したプロセッサとを有し、
前記インターフェイスは、さらに、前記第２のチャネルを用いた前記第２の無線接続の修正された前記少なくとも１つのパラメータを有するように、前記第２のチャネルを用いた前記第２の無線接続を前記中継局が修正することを要求する修正要求メッセージを、前記第１のチャネルを用いた前記第１の無線接続を介して前記中継局に送信するシステム。
【請求項１１】
前記中継局は第１のアイデンティティと関連付けられ、
前記プロセッサは、さらに、前記第２のチャネルを用いた前記第２の無線接続の前記少なくとも１つのパラメータに要求された前記修正をすることを示す肯定的応答を受信した時、前記中継局の第２のアイデンティティを生成し、
前記インターフェイスは、さらに、前記中継局の前記第２のアイデンティティと、前記第２のチャネルを用いた前記第２の無線接続の修正された前記少なくとも１つのパラメータとを有する更新アイデンティティメッセージをブロードキャストする段階とをさらに有する、請求項１０に記載のシステム。
【請求項１２】
前記更新アイデンティティメッセージは移動近傍通知（ＭＯＢ＿ＮＢＲ−ＡＤＶ）を有する、請求項１１に記載のシステム。
【請求項１３】
前記第２のチャネルを用いた前記第２の無線接続の修正された前記少なくとも１つのパラメータは、前記第２のチャネルを用いた前記第２の無線接続の修正された中心周波数を含む、請求項１０記載のシステム。
【請求項１４】
前記第２のチャネルを用いた前記第２の無線接続の修正された前記少なくとも１つのパラメータは、前記第２のチャネルを用いた前記第２の無線接続の修正された帯域幅を含む、請求項１０記載のシステム。
【請求項１５】
コンピュータ読み出し可能媒体に化体されたロジックであって、前記コンピュータ読み出し可能媒体は、
第１のチャネルを用いて基地局と第１の無線接続を確立し、
第２のチャネルを用いて端末と第２の無線接続を確立し、
前記第２のチャネルを用いた前記端末との前記第２の無線接続の少なくとも１つのパラメータの修正を要求する修正要求メッセージを、前記第１のチャネルを用いて介して前記基地局から前記第１の無線接続を受信し、
前記第２のチャネルを用いた前記第２の無線接続の少なくとも１つのパラメータを修正することを前記端末に通知し、
前記第２のチャネルを用いた前記第２の無線接続の修正された前記少なくとも１つのパラメータを有するように、前記第２のチャネルを用いた前記第２の無線接続を修正するするコードを有する媒体。
【請求項１６】
コンピュータ読み出し可能媒体に化体されたロジックであって、前記コンピュータ読み出し可能媒体は、
第２のチャネルを用いて端末と第２の無線接続を確立した中継局と、第１のチャネルを用いて第１の無線接続を確立し、
前記第２のチャネルを用いて前記第２の無線接続の少なくとも１つのパラメータの修正トリガーを識別し、
前記第２のチャネルを用いた前記第２の無線接続の修正された前記少なくとも１つのパラメータを有するように、前記第２のチャネルを用いた前記第２の無線接続を前記中継局が修正することを要求する修正要求メッセージを、前記第１のチャネルを用いた前記第１の無線接続を介して前記中継局に送信するコードを有する媒体。
【請求項１７】
無線ネットワークにおいて接続パラメータを調整するシステムであって、
第１のチャネルを用いて基地局と第１の無線接続を確立する手段と、
第２のチャネルを用いて端末と第２の無線接続を確立する手段と、
前記第２のチャネルを用いた前記端末との前記第２の無線接続の少なくとも１つのパラメータの修正を要求する修正要求メッセージを、前記第１のチャネルを用いて介して前記基地局から前記第１の無線接続を受信する手段と、
前記第２のチャネルを用いた前記第２の無線接続の少なくとも１つのパラメータを修正することを前記端末に通知する手段と、
前記第２のチャネルを用いた前記第２の無線接続の修正された前記少なくとも１つのパラメータを有するように、前記第２のチャネルを用いた前記第２の無線接続を修正する手段とを有するシステム。
【請求項１８】
無線ネットワークにおける接続パラメータを調整するシステムであって、
第２のチャネルを用いて端末と第２の無線接続を確立した中継局と、第１のチャネルを用いて第１の無線接続を確立する手段と、
前記第２のチャネルを用いて前記第２の無線接続の少なくとも１つのパラメータの修正トリガーを識別する手段と、
前記第２のチャネルを用いた前記第２の無線接続の修正された前記少なくとも１つのパラメータを有するように、前記第２のチャネルを用いた前記第２の無線接続を前記中継局が修正することを要求する修正要求メッセージを、前記第１のチャネルを用いた前記第１の無線接続を介して前記中継局に送信する手段とを有するシステム。
【発明の詳細な説明】
【技術分野】
【０００１】
本発明は、概して通信システムに関し、特に無線ネットワークにおいて接続パラメータを調整するシステムと方法とに関する。
【背景技術】
【０００２】
ブロードバンドネットワークサービスとボイスオーバーＩＰ（ＶｏＩＰ）製品が成長・拡大を続けており、無線ネットワークの機能性に対する需要も同様である。この需要を満たすため、複数の基地局、中継局、アクセスポイント、またはコンタクトポイントを使用するネットワークが開発されつつある。実現しつつある技術の１つに８０２．１６があり、ＷｉＭＡＸとして知られている。ＷｉＭＡＸはブロードバンド無線アクセスを提供するが、単一の基地局が広いエリア（理論的には３１マイルまで）をカバーする。他の無線ネットワーク技術には、第３世代（３Ｇ）、３ＧＰＰ（Third  Generation  Partnership  Project）、及びＷｉＦｉとして知られる８０２．１１がある。
【０００３】
端末がＷｉＭＡＸ等の無線ネットワークの便益を享有できるかは、十分強い信号を探してロックできるかどうかにかかっている。これは、基地局からの信号に干渉が生じるエリア（例えば、レンジの端にあるエリア、２つの基地局のカバレッジが重なるエリア、トンネルまたはビルの中のエリア）では困難であることが多い。１つの解決策は、基地局の送信パワーを上げることであり、他の解決策として基地局を追加することがある。しかし、これは望ましくない。運営コストが増加するし、戻りリンクへのアクセスが限られているからである。他の解決策として８０２．１６ｊがある。これは、８０２．１６標準規格の一部として、８０２．１６ｊリレーワーキンググループにより開発されている。８０２．１６ｊは、ＷｉＭＡＸ基地局のサービスエリアを拡大し、及び／またはスループット能力を増大する基地局を実施する方法を提供する。中継局は戻りリンクを必要としないが、それは中継局が基地局と端末の両方と無線通信するからである。この種のネットワークは、マルチホップネットワークと呼ばれることもある。端末とハードワイヤード接続との間に２つ以上の無線接続があるからである。
【０００４】
明らかに、基地局及び端末の両方と無線通信するので、中継局が通信しなければならないデータ量は増加する。より具体的には、中継局は、無線接続を用いて、端末と基地局の間で同じデータを送受信する。無線ネットワーク中の中継局は、単一チャネルのみを使用して、端末、他の中継局、及び基地局との通信ニーズを満たすことが多い。このチャネルのキャパシティは有限であり、場合によっては中継局のセル内のトラフィック需要をサポートするには不十分である。
【発明の開示】
【発明が解決しようとする課題】
【０００５】
実施形態によると、従来の方法とシステムの不利益と問題の少なくとも一部を大幅に低減または除去する、無線ネットワークにおける接続パラメータを調整するシステムと方法とが提供される。
【０００６】
一実施形態では、無線ネットワークにおいて接続パラメータを調整する方法は、第１のチャネルを用いて基地局と第１の無線接続を確立する段階と、第２のチャネルを用いて端末と第２の無線接続を確立する段階とを含む。本方法は、前記第２のチャネルを用いた前記端末との前記第２の無線接続の少なくとも１つのパラメータの修正を要求する修正要求メッセージを、前記第１のチャネルを用いて介して前記基地局から前記第１の無線接続を受信する段階も含む。本方法は、さらに、前記第２のチャネルを用いた前記第２の無線接続の少なくとも１つのパラメータを修正することを前記端末に通知する段階を含む。また、本方法は、前記第２のチャネルを用いた前記第２の無線接続の修正された前記少なくとも１つのパラメータを有するように、前記第２のチャネルを用いた前記第２の無線接続を修正する段階も含む。
【０００７】
具体的な実施形態では、本方法は、前記第２のチャネルを用いた前記第２の無線接続の前記少なくとも１つのパラメータに前記要求された修正をすることを示す肯定的応答を前記基地局に送信する段階を含んでもよい。本方法は、さらに、前記第２のチャネルを用いた前記第２の無線接続の新しいアイデンティティと修正された前記少なくとも１つのパラメータとを有する更新アイデンティティメッセージを、前記基地局から受信する段階を含んでもよい。本方法は、さらに、前記更新アイデンティティメッセージを前記端末に転送する段階と、前記端末が修正された前記第２の無線接続を使用することを要求するハンドオーバー要求メッセージを前記端末に送信する段階とを含んでもよい。また、本方法は、前記第２のチャネルを用いた修正された前記第２の無線接続を介して、前記端末との接続を確立するのに前記新しいアイデンティティを使用する段階を含んでもよい。
【０００８】
他の実施形態では、無線ネットワークにおける接続パラメータを調整する方法は、第２のチャネルを用いて端末と第２の無線接続を確立した中継局と、第１のチャネルを用いて第１の無線接続を確立する段階を含む。本方法は、前記第２のチャネルを用いて前記第２の無線接続の少なくとも１つのパラメータの修正トリガーを識別する段階も含む。本方法は、さらに、前記第２のチャネルを用いた前記第２の無線接続の修正された前記少なくとも１つのパラメータを有するように、前記第２のチャネルを用いた前記第２の無線接続を前記中継局が修正することを要求する修正要求メッセージを、前記第１のチャネルを用いた前記第１の無線接続を介して前記中継局に送信する段階を含む。
【０００９】
具体的実施形態では、前記中継局は第１のアイデンティティと関連付けられてもよい。本方法は、前記第２のチャネルを用いた前記第２の無線接続の前記少なくとも１つのパラメータに要求された前記修正をすることを示す肯定的応答を受信した時、前記中継局の第２のアイデンティティを生成する段階と、前記中継局の前記第２のアイデンティティと、前記第２のチャネルを用いた前記第２の無線接続の修正された前記少なくとも１つのパラメータとを有する更新アイデンティティメッセージをブロードキャストする段階とをさらに含んでもよい。
【００１０】
他の実施形態によると、無線ネットワークにおいて接続パラメータを調整するシステムは、第１のチャネルを用いて基地局と第１の無線接続を確立し、第２のチャネルを用いて端末と第２の無線接続を確立するインターフェイスを含む。該インターフェイスは、前記第２のチャネルを用いた前記端末との前記第２の無線接続の少なくとも１つのパラメータの修正を要求する修正要求メッセージを、前記第１のチャネルを用いて介して前記基地局から前記第１の無線接続を受信する。前記インターフェイスはさらに、前記第２のチャネルを用いた前記第２の無線接続の少なくとも１つのパラメータを修正することを前記端末に通知する。本システムは、さらに、前記第２のチャネルを用いた前記第２の無線接続の修正された前記少なくとも１つのパラメータを有するように、前記第２のチャネルを用いた前記第２の無線接続を修正する、前記インターフェイスと結合したプロセッサを有する。
【００１１】
本発明の他の実施形態によると、無線ネットワークにおける接続パラメータを調整するシステムは、第２のチャネルを用いて端末と第２の無線接続を確立した中継局と、第１のチャネルを用いて第１の無線接続を確立するインターフェイスを含む。本システムは、前記第２のチャネルを用いて前記第２の無線接続の少なくとも１つのパラメータの修正トリガーを識別する、前記インターフェイスと結合したプロセッサも含む。前記インターフェイスは、さらに、前記第２のチャネルを用いた前記第２の無線接続の修正された前記少なくとも１つのパラメータを有するように、前記第２のチャネルを用いた前記第２の無線接続を前記中継局が修正することを要求する修正要求メッセージを、前記第１のチャネルを用いた前記第１の無線接続を介して前記中継局に送信する。
【００１２】
実施形態の技術的有利性には、基地局が端末がデータを通信する方法を変えなくても、端末と中継局の間の無線接続のパラメータを動的に変更することができることが含まれる。従って、無線ネットワークを更新して、どの端末も更新することなしに、無線接続のパラメータを動的に調整できる。基地局が無線接続のパラメータを動的に調整できるので、無線リソースの割り当てを柔軟に行うことができる。
【００１３】
他の技術的有利性は、以下の図面、詳細な説明、及び請求項から当業者には容易にあきらかになるであろう。さらに、具体的な有利性を列挙したが、様々な実施形態には、これをすべて含むもの、一部のみ含むもの、まったく含まないものがある。
【発明を実施するための最良の形態】
【００１４】
図１は、一実施形態による、様々な通信ネットワークを含む通信システムを示す。通信システム１００は複数のネットワーク１１０により構成されている。各ネットワーク１１０は、独立して、または他のネットワークとともに１つ以上のサービスを提供するように設計された様々な通信ネットワークである。例えば、ネットワーク１１０は、インターネットアクセス、オンラインゲーム、ファイル共有、ピア・ツー・ピアファイル共有（Ｐ２Ｐ）、ボイスオーバーＩＰ（ＶｏＩＰ）、ビデオオーバーＩＰ、またはネットワークにより一般的に提供されるその他の機能を提供する。ネットワーク１１０は、有線通信または無線通信のいずれかのための様々なプロトコルを用いてサービスを提供する。例えば、ネットワーク１１０ａはＷｉＭＡＸとして知られている８０２．１６無線ネットワークを含み、基地局（例えば基地局１２０）と中継局（例えば中継局１３０）とを含む。ネットワーク１１０ａは、８０２．１６ｊを実施することにより中継局を使用してもよい。中継局を使用するＷｉＭＡＸネットワークは、モバイルマルチホップ中継（ＭＭＲ）ネットワークとも呼ばれている。
【００１５】
いくつかの実施形態では、基地局１２０は無線接続１５０のパラメータを動的に変更できる。より具体的には、端末１４０ａ−１４０ｄのトラフィック需要が変動するにつれて、基地局１２０はそれぞれの無線接続の周波数、フレーム長（frame  duration）、及び／または帯域幅を調整して、無線リソースをより効率的に使用する。需要または環境が変化するにつれて無線接続１５０のパラメータを調整する能力があるので、無線リソースの割り当てが非常に柔軟になり、動的リソースの再使用をすることができる。より具体的には、無線接続１５０のパラメータを変更することには、端末が中継局または基地局と通信する方法の変更は含まなくてもよい。
【００１６】
通信システム１００は４つのネットワーク１１０ａ−１１０ｄを含むが、「ネットワーク」という用語は、ウェブページ、電子メール、テキストチャット、ボイスオーバーＩＰ（ＶｏＩＰ）、及びインスタントメッセージにより伝送される信号、データ、またはメッセージを含む信号、データ、及び／またはメッセージを伝送できる任意のネットワークであると解釈すべきである。ネットワーク１１０ａ−１１０ｄは、その範囲、大きさ、及び／または構成に応じて、ＬＡＮ、ＷＡＮ、ＭＡＮ、ＰＳＴＮ、ＷｉＭＡＸネットワーク、インターネット等の地球規模のネットワーク、イントラネット、エクストラネット、その他の形式の無線または有線のネットワークとして実施されてもよい。
【００１７】
一般的に、ネットワーク１１０ａ、１１０ｃ及び１１０ｄは、端末１４０及び／またはノード１７０の間のパケット、セル、フレーム、その他の情報の一部（以下、一般的にパケットと呼ぶ）の通信を提供する。ネットワーク１１０は、任意数の有線リンク１６０、無線接続１５０、ノード１７０及び／または端末１４０、またはこれらの組合せを含み得る。例示と単純化を目的として、ネットワーク１１０ａは少なくとも一部はＷｉＭＡＸを介して実施されたＭＡＮであり、ネットワーク１１０ｂはＰＳＴＮであり、ネットワーク１１０ｃはＬＡＮであり、ネットワーク１１０ｄはＷＡＮである。
【００１８】
ネットワーク１１０ａ、１１０ｃ及び１１０ｄはＩＰネットワークである。ＩＰネットワークによるデータの送信は、そのデータをパケットに入れて、各パケットを１つ以上の通信経路に沿って選択された送り先に個別に送信することにより行われる。ネットワーク１１０ｂはＰＳＴＮであり、交換局、中央オフィス、移動電話交換オフィス、ページャ交換オフィス、リモート端末、及びその他の通信機器を含み、それらは世界中に配置されている。ネットワーク１１０ｄはゲートウェイを通じてネットワーク１１０ｂと結合されている。実施形態によっては、ゲートウェイはネットワーク１１０ｂまたは１１０ｄの一部であってもよい（例えば、ノード１７０ｅまたは１７０ｃがゲートウェイを含んでもよい）。ゲートウェイにより、ＰＳＴＮ１１０ｄは、ネットワーク１１０ａ、１１０ｃ、１１０ｄ等の非ＰＳＴＮネットワークと通信することができる。
【００１９】
どのネットワーク１１０ａ、１１０ｃ及び／または１１０ｄも、インターネットを含むがこれに限定はされない他のＩＰネットワークに結合していてもよい。ＩＰネットワークは、データ送信に共通の方法を使用するので、信号は、異なるが相互接続されたＩＰネットワーク上にあるデバイス間で送信できる。他のＩＰネットワークに結合されているのに加えて、どのネットワーク１１０ａ、１１０ｃ及び／または１１０ｄは、ゲートウェイ等のインターフェイスまたは構成要素を使用して、非ＩＰネットワークに結合していてもよい。
【００２０】
ネットワーク１１０は、複数の有線リンク１６０、無線接続１５０、及びノード１７０を介して、相互に、及びその他のネットワークと接続されている。有線リンク１６０、無線接続１５０、及びノード１７０は、様々なネットワークを接続するだけでなく、端末１４０を相互に接続し、ネットワーク１１０に結合された他の構成要素またはそのネットワーク１１０の一部と接続する。ネットワーク１１０ａ−１１０ｄの相互接続により、端末１４０が相互にデータと制御信号を通信でき、任意の中間構成要素またはデバイスがデータと制御信号を通信できる。従って、端末１４０のユーザは、１つ以上のネットワーク１１０ａ−１１０ｄと結合した各ネットワーク構成要素間でデータと制御信号を送受信できる。
【００２１】
無線接続１５０は、例えばＷｉＭＡＸによる２つの構成要素間の無線接続を表す。ＷｉＭＡＸ基地局及び／または中継局の拡張レンジにより、ネットワーク１１０ａは、比較的少数の有線リンクを用いても、ＭＡＮに係る大きい地理的エリアをカバーすることができる。より具体的には、都市エリア周辺に基地局と複数の中継局１３０を適当に配置することにより、複数の中継局１３０は、無線接続１５０を使用して、都市エリア中の基地局１２０と無線端末１４０と通信し得る。基地局１２０は、有線接続１６０ａにより、他の基地局、無線接続をできないネットワーク構成要素、及び／またはＭＡＮの外の他のネットワーク（例えば、ネットワーク１１０ｄまたはインターネット）と通信する。
【００２２】
ノード１７０は、例えば、ネットワーク構成要素、セッションボーダーコントローラ、ゲートキーパー、基地局、コンファレンスブリッジ、ルータ、ハブ、スイッチ、ゲートウェイ、端末、その他のハードウェア、ソフトウェア、通信システム１００においてパケットの交換を可能とする任意数の通信プロトコルを実施する組み込みロジック等の任意の組合せである。例えば、ノード１７０ａは、リンク１６０ｊを介して基地局１２０に、またリンク１６０ａを介してネットワーク１１０ｄに有線接続された他の基地局を有する。基地局として、ノード１７０ａは、様々な他の基地局、中継局、及び／または端末との無線接続を確立することができる。他の例として、ノード１７０ｅは、ゲートウェイを有する。これにより、ネットワーク１１０ｂ（ＰＳＴＮネットワーク）は、ネットワーク１１０ｄ等の他の非ＰＳＴＮネットワーク（ＩＰネットワーク）からの通信を送受信することができる。ノード１７０ｅは、ゲートウェイとして、異なるネットワークにより使用される様々なプロトコル間の通信を変換する働きをする。
【００２３】
端末１４０及び／またはノード１７０は、ハードウェア、ソフトウェア、及び／またはユーザにデータまたはネットワークサービスを提供するロジック（encoded  logic）を有する。例えば、端末１４０ａ−１４０ｃは、ＩＰ電話、コンピュータ、ビデオモニタ、カメラ、パーソナルデータアシスタント、携帯電話、その他のハードウェア、ソフトウェア、及び／またはネットワーク１１０を用いてパケット（またはフレーム）の通信をサポートするロジック（encoded  logic）である。端末１４０は、無人または自動化されたシステム、ゲートウェイ、データ及び／または信号を送受信する他の中間構成要素またはその他のデバイスであってもよい。図１は具体的な数と構成の端末、接続、リンク、及びノードを示しているが、通信システム１００はデータ通信用の任意の数または構成の構成要素を想定している。また、通信システム１００の要素には、構成要素が集中したものや通信システム１００にわたって分散したものが含まれ得る。
【００２４】
図２は、一実施形態による、基地局２１０と中継局２５０をより詳細に示す無線ネットワーク２００の概略図である。別の実施形態では、ネットワーク２００は、任意数の有線または無線ネットワークと、基地局と、端末と、中継局と、有線または無線の接続を介してデータ及び／または信号の通信を助けまたは参加するその他の構成要素とを有する。単純化のため、ネットワーク２００は、ネットワーク２０５、基地局２１０、端末２４０、及び中継局２５０を有する。基地局２１０はプロセッサ２１２、メモリモジュール２１４、インターフェイス２１６、無線通信器２１７、及びアンテナ２１８を有する。同様に、中継局２５０は、プロセッサ２５２、メモリモジュール２５４、無線通信器２５７、及びアンテナ２５８を有する。これらの構成要素は、無線ネットワーク（例えば、ＷｉＭＡＸ無線ネットワーク等）における無線接続の提供等である基地局及び／または中継局の機能を提供するために協働する。ネットワーク２０５は、図１を参照して説明した１つ以上のネットワークを有する。
【００２５】
プロセッサ２１２は、マイクロプロセッサ、コントローラ、その他の好適な計算装置、リソース、またはハードウェア、ソフトウェア、及び／またはロジック（encoded  logic）の組合せであり、単独で、または基地局２１０の他の構成要素（メモリモジュール２１４等）と共に基地局２１０の機能を提供するように動作可能である。かかる機能には、端末（例えば端末２４０）と中継局（例えば中継局２５０）へのここで説明する様々な無線機能の提供が含まれる。プロセッサ２１２を使用して無線接続の具体的なパラメータをいつ、いかに修正するか決定してもよい。
【００２６】
メモリモジュール２１４は、任意の形式の揮発性または不揮発性のメモリであり、磁気媒体、光学媒体、ランダムアクセスメモリ（ＲＡＭ）、リードオンリメモリ（ＲＯＭ）、リムーバブル媒体、その他のいかなる好適なローカルまたはリモートのメモリコンポーネントが含まれるが、これらに限定はされない。メモリモジュール２１４は、基地局２１０により使用される、ソフトウェア及び符号化ロジックを含むいかなる好適なデータまたは情報を格納してもよい。いくつかの実施形態では、メモリモジュール２１４は、基地局２１０と直接的（例えば、端末２４０ａ）または間接的（例えば、端末２４０ｂと２４０ｃ）に関連する様々な無線接続に関する情報を格納することもできる。メモリモジュール２１４は、適当な端末及び／または中継局にいかにデータをルーティングするか決定するために有用なデータのリスト、データベース、その他のデータ組織を有していてもよい。例えば、いくつかの実施形態では、端末から基地局にデータをルーティングするのに、（メッシュ構造ではなく）ツリー構造を使用してもよい。より具体的には、基地局２１０から端末２４０ｂには既知の経路があり得る。この経路またはその一部をメモリモジュール２１４に格納してもよい。
【００２７】
基地局２１０は、基地局２１０とネットワーク２０５との間のシグナル及び／またはデータの有線通信で使用するインターフェイス２１６も有する。例えば、インターフェイス２１６は、基地局２１０に有線接続を介してネットワーク２０５との間でデータを送受信させるのに必要なフォーマットまたは変換を実行する。
【００２８】
無線通信器２１７はアンテナ２１８またはその一部に結合されている。無線通信器２１７は、無線接続を介して他の基地局、中継局、及び／または端末に送信されるデジタルデータを受け取る。無線通信器２１７は、デジタルデータを、適当なチャネル及び帯域幅パラメータを有する無線通信信号に変換する。これらのパラメータは、プロセッサ２１２及びメモリモジュール２１４の組合せにより、事前に決定されていてもよい。無線通信信号はアンテナ２１８を介して適当な受信者（例えば、中継局２５０）に送信される。
【００２９】
アンテナ２１８は、データ及び／またはシグナルをむせんで送受信できるものであればどんなタイプのアンテナであってもよい。いくつかの実施形態では、アンテナ２１８は、２ないし６ＧＨｚの無線通信信号を送受信する、１つ以上の無指向性アンテナ、セクタ（sector）アンテナ、またはパネルアンテナであってもよい。無指向性アンテナは、任意の方向の無線通信シグナルを送受信するために使用される。セクタアンテナは、あるエリア内の装置との間で無線通信信号を送受信するために使用される。パネルアンテナは、ほぼ直線上で無線通信信号を送受信するために使用される視線アンテナである。
【００３０】
中継局２５０は、基地局２１０の構成要素と同様の構成要素を含む。１つ例外として、いくつかの実施形態では、中継局２５０は無線接続のためのインターフェイスを含まないことである。それは、中継局２５０は無線接続のみを使用し、有線接続は必要ないからである。中継局２５０を有線接続なしに配置させることにより、各中継局にネットワークワイヤを張らなくてもよいので、初期配置費用が低くなる。
【００３１】
基地局２１０と同様に、中継局２５０もプロセッサを有する。プロセッサ２５２は、マイクロプロセッサ、コントローラ、またはその他の好適な演算装置、リソース、または単体で若しくはメモリモジュール２５４等の中継局２５０の他の個性要素と組み合わせて中継局２５０の機能を提供するように動作可能であるハードウェア、ソフトウェア及び／または符号化ロジックの組合せである。かかる機能には、端末２４０ｂ、２４０ｃまたは基地局２１０等の端末または基地局に、ここで説明する様々な無線機能を提供することが含まれる。プロセッサ２５２は、中継基地２５０が基地局２１０から受信した無線接続の要求した変更を満たすかどうか決定するのに使用される。プロセッサ２５２は、基地局２１０の要求を満たすと判断すると、無線通信器２５７ｂを基地局２１０により与えられた接続パラメータを満たすように設定するために使用される。
【００３２】
メモリモジュール２５４は、いかなる形式の揮発性または不揮発性メモリでもよく、磁気媒体、光媒体、ランダムアクセスメモリ（ＲＡＭ）、リードオンリメモリ（ＲＯＭ）、リムーバブル媒体、その他の好適ないかなるローカルまたはリモートのメモリコンポーネントでもよく、これらに限定はされない。メモリモジュール２５４は、中継局２５０により利用されるいかなるデータまたは情報を格納してもよく、ソフトウェア及び符号化ロジックも含む。いくつかの実施形態では、メモリモジュール２５４は、中継局２５０に関連する名称またはアイデンティティ、及び／または中継局２５０に関連する無線接続（例えば、無線接続２６０ｂと２６０ｃ）の中心周波数、フレーム長、及び帯域幅等の情報を格納できる。メモリモジュール２５４は、適当な端末、基地局、及び／または中継局にデータをいかにルーティングするか決定するために有用なデータのリスト、データベース、その他のデータ構成を有していてもよい。
【００３３】
無線通信器２５７はアンテナ２５８またはその一部に結合している。無線通信器２５７は、無線接続を介して他の基地局、中継局、及び／または端末に送信するデジタルデータを、例えばプロセッサ２５２から受け取る。各無線通信器２５７にはチャネルが割り当てられている。チャネルは１つ以上の無線接続により使用される。各無線接続の数、周波数、及びサイズの決定にチャネルの特性（例えば、周波数と帯域幅）を使用する。無線接続のパラメータは、適当な周波数と帯域幅を有する無線通信信号にデジタルデータを変換するときに使用される。これらのパラメータは基地局２１０またはプロセッサ２５２により事前に決定されたものであってもよい。各無線通信器からの無線通信信号はアンテナ２５８を介して適当な受信者（例えば、基地局２１０）に送信される。
【００３４】
上記の通り、中継局２５０の２つの無線通信は、異なるチャネルが割り当てられるだけではなく、異なるタイプの無線通信であってもよい。より具体的には、無線通信器２５７ａは基地局２１０と通信するために使用される端末型の無線通信器であり、無線通信器２５７ｂは端末２４０ｂ、２４０ｃと通信するために使用される基地局型の無線通信器であってもよい。端末２４０の観点からは、中継局２５０は基地局のように見え、基地局２１０の観点からは、中継局２５０は端末のように見える。これにより、無線ネットワークは、端末がデータを送受信する方法を変更させなくても中継局を組み込むことができる。
【００３５】
アンテナ２５８はいかなるタイプのアンテナでも、データ及び／またはシグナルを無線で送受信できるものならよい。いくつかの実施形態では、アンテナ２５８は、２ＧＨｚと６６ＧＨｚの間の無線通信信号を送受信できる１つ以上の無指向性アンテナ、セクタアンテナ、またはパネルアンテナである。
【００３６】
端末２４０は、いかなるタイプの無線端末であっても、基地局２１０または中継局２５０との間でデータ及び／またはシグナルを送受信できるものならよい。端末２４０のタイプとしては、デスクトップコンピュータ、ＰＤＡ、携帯電話、ノートブックコンピュータ、及び／またはＶｏＩＰ電話等がある。
【００３７】
基地局２１０と中継局２５０の様々な構成要素がいかに動作して具体的な実施形態の機能を提供するか良く理解できるように、例示した実施携帯の構成要素を例として説明する。この例においては、端末２４０ｂ、２４０ｃは中継局２５０と無線接続２６０ｂ、２６０ｃをそれぞれ確立していると仮定する。時間の経過とともに、無線接続２６０ｂと２６０ｃを介して通信されるデータ量は変化する。この情報は無線接続２６０ｄを介して基地局２１０に送信されるか、または例えばプロセッサ２１２を用いて基地局２１０により決定される。
【００３８】
基地局２１０は無線接続２６０ａ−２６０ｄにより通信されたデータ量に関する情報を格納するためにメモリ２１４を使用する。その情報には、個々の端末に基づく平均データレートや、使用されているサービスのタイプに基づく平均データレートや、その他の所望のタイプのデータレートが含まれていてもよい。プロセッサ２１２は、この情報を使用して無線接続の周波数及び／または帯域幅をいつどのように変更すべきか決定する。この例について、端末２４０ｂが中継局２５０と無線接続２６０ｂを最近確立したと仮定する。追加された端末により、無線接続２６０ｂと２６０ｃを介して送信されるデータ量が増えているかも知れない。基地局２１０は、この増加を察知して、プロセッサ２１２とメモリ２１４とを用いて、無線接続２６０ｂと２６０ｃのパラメータの一部、または全部を変更する必要があると判断する。また、プロセッサ２１２とメモリ２１４とを用いて、無線接続２６０ｂと２６０ｃのパラメータをいかに修正するかも判断する。基地局２１０は、無線接続２６０ｂと２６０ｃの変化により他の無線接続のいずれかに影響があるかどうか、影響があるとしたら、他の無線接続を無線接続２６０ｂと２６０ｃの変化に合わせるためにどう変更する必要があるか、さらに判断する。
【００３９】
無線接続２６０ｂと２６０ｃについて新しく決定されたパラメータは、中継局２５０が決定されたパラメータに従って無線接続２６０ｂと２６０ｃを変更することを要求する、中継局２５０に送信される修正要求メッセージに含まれてもよい。変更要求メッセージは、無線接続２６０ｂと２６０ｃの決定された中心周波数と帯域幅と、基地局２１０からのファイナルアナウンスメント（final  announcement）の待ち時間（proposed  time）と、中継局２５０の新しい名前またはアイデンティティ（例えば、新しい中継局ＩＤ（RSID））とを含み得る。実施形態によっては、変更要求メッセージは周波数と帯域幅の変更要求（ＦＢＣ−ＲＥＱ）を含んでもよい。ＦＢＣ−ＲＥＱが送信されると、基地局２１０は、中継局２５０からの応答（例えば、ＦＥＢ−ＲＳＰ）を待って、ＦＢＣ応答（ＦＢＣ−ＲＳＰ）タイマーを始動させる。ＦＢＣ−ＲＳＰタイマーがタイムアウトする前に応答が来ないとき、または応答が否定的なもの（例えば、要求された変更の拒否）であるか損なわれているとき、無線接続２６０ｂと２６０ｃのパラメータを変更する試みは中止される。
【００４０】
中継局２５０はアンテナ２５８経由でＦＢＣ−ＲＥＱを受信する。無線通信器２５７ａは、ＦＢＣ−ＲＥＱを、プロセッサ２５２が評価して無線接続２６０ｂと２６０ｃの要求された変更に従うことができるか決定できるデジタルデータに変換する。プロセッサ２５２は、中継局２５０が要求された変更に従えないと判断すると、その要求を無視する（例えば、応答を送信しない）か、または否定的な応答（例えば、ＦＥＢ−ＲＥＱを拒否する応答）を送信する。一方、中継局２５０は、ＦＢＣ−ＲＥＱを満たすことができるとき、無線接続２６０ｂと２６０ｃへの要求された変更を満たせることを示すＦＢＣ−ＲＳＰ等の肯定的な応答を基地局２１０に送信する。中継局２５０は、ＦＢＣ−ＲＳＰを送信した後、中継局２５０が基地局２１０からの応答を待つ時間を示す移動近傍通知（mobility  neighborhood  advertisement、ＭＯＢ＿ＮＢＲ−ＡＤＶ）タイマーをスタートさせる。基地局からの新しい情報を含むＭＯＢ＿ＮＢＲ−ＡＤＶを受信する前にＭＯＢ＿ＮＢＲ−ＡＤＶタイマーがタイムアウトすると、中継局２５０は他のＦＢＣ−ＲＳＰを送信する。中継局２５０がＦＢＣ−ＲＳＰの送信を試みる回数は、実施形態における必要性に応じて変化する。送信されたＦＢＣ−ＲＳＰの数がその数を越えるか、基地局２１０からのＭＯＢ＿ＮＢＲ−ＡＤＶが変更がないことを示しているか、そのＭＯＢ＿ＮＢＲ−ＡＤＶが損なわれているとき、中継局２５０は無線接続２６０ｂと２６０ｃのパラメータを変更する試みを中止してもよい。いくつかの実施形態では、ＦＢＣ−ＲＳＰは異なる結果を示す異なる数字を有する確認コードを含んでいる。例えば、確認コード０は肯定的な応答を示し、確認コード２はＦＢＣ−ＲＥＱがサポートされてないパラメータであるとして拒絶されたことを示し、確認コード７はこのＦＢＣ−ＲＳＰが前のＦＢＣ−ＲＳＰの再送信であることを示す。
【００４１】
基地局２１０はアンテナ２１８を通してＦＢＣ−ＲＳＰを受信してもよい。無線通信器２１７は、プロセッサ２１２がメッセージを処理できるように、プロセッサ２１２にＦＢＣ−ＲＳＰをデジタル形式で送る。ＦＢＣ−ＲＳＰは基地局２１０に、中継局２５０がＦＢＣ−ＲＥＱを満たせることを通知する。基地局２１０は、決定したパラメータを次にブロードキャストするＭＯＢ＿ＮＢＲ−ＡＤＶメッセージに含めてもよい。ＭＯＢ＿ＮＢＲ−ＡＤＶは、基地局２１０により定期的にブロードキャストされる通知（advertisement）であり、基地局２１０の近傍にある基地局及び／または中継局（例えば、中継局２５０）に関する情報を含んでいる。ＭＯＢ＿ＮＢＲ−ＡＤＶは、端末、中継局、及び基地局にブロードキャストされてもよい。ＭＯＢ＿ＮＢＲ−ＡＤＶは、無線接続２６０ｂが使用する中心周波数と帯域幅に関する情報と、中継局２５０の新しい名前またはアイデンティティと、中継局２５０が無線接続２６０ｂと２６０ｃの新しいパラメータを使用開始すべき時とに関する情報を含んでも良い。中継局２５０の新しいアイデンティティに関する情報を含むＭＯＢ＿ＮＢＲ−ＡＤＶの受信により、中継局は、無線接続２６０ｂと２６０ｃの変更をしなければならないということを通知される。中継局２５０は新しいアイデンティティを有していると、新しい中継局として見られる。
【００４２】
中継局２５０は、ＭＯＢ＿ＮＢＲ−ＡＤＶを受信すると、端末２４０ｂと２４０ｃにメッセージを転送する。留意すべき点として、いくつかの実施形態では、中継局２５０は、ＭＯＢ＿ＮＢＲ−ＡＤＶメッセージを端末２４０ｂと２４０ｃに送信する前に、そのＭＯＢ＿ＮＢＲ−ＡＤＶメッセージを変更し、いくつかの実施形態では、そのメッセージは何も修正されずに単に繰り返される。ＭＯＢ＿ＮＢＲ−ＡＤＶは、端末２４０ｂと２４０ｃに、新しい中継局があり、その新しい中継局に関する情報は何かを知らせる。より具体的に、端末２４０ｂと２４０ｃがＭＯＢ＿ＮＢＲ−ＡＤＶを受信すると、その端末２４０ｂと２４０ｃには、ＭＯＢ＿ＮＢＲ−ＡＤＶメッセージに示された情報を有する新しい中継局があるように見える。中継局２５０は、ＭＯＢ＿ＮＢＲ−ＡＤＶメッセージを処理し、そのＭＯＢ＿ＮＢＲ−ＡＤＶが中継局２５０の新しい情報を含むと判断すると、変更タイマーをスタートさせる。変更タイマーは、基地局２１０により提供された情報（例えば、ＦＢＣ要求中の情報）に基づき設定される。変更タイマーがタイムアウトすると、中継局２５０は、新しい中継局への移行を開始し、無線接続２６０ｂと２６０ｃの新しいパラメータを使用する。
【００４３】
中継局２５０は、ＭＯＢ＿ＮＢＲ−ＡＤＶを受信してから第２のタイマーがタイムアウトする間に、端末２４０ｂと２４０ｃに、それらが新しい中継局２５０にハンドオーバーされることを通知するハンドオーバーメッセージ（例えば、移動基地局ハンドオーバー要求（ＭＯＢ＿ＢＳＨＯ−ＲＥＱ）をブロードキャストしてもよい。端末２４０ｂと２４０ｃは、ハンドオフアクノレッジメント（例えば、移動基地局ハンドオーバー要求表示（ＭＯＢ＿ＢＳＨＯ−ＩＮＤ））を送信する。アクノレッジメントを送信すると、中継局２５０と端末２４０ｂと２４０ｃは、無線通信の調整（例えば、周波数及び／または帯域幅の変更）を開始して、新しい無線接続２６０ｂと２６０ｃを使用する。端末２４０ｂと２４０ｃは、無線通信を調整すると、中継局２５０と再接続する。中継局２５０との再接続に伴うレイテンシー（latency）は減少するが、それは端末２４０ｂと２４０ｃが前もってＭＯＢ＿ＮＢＲ−ＡＤＶメッセージとＭＯＢ＿ＢＳＨＯ−ＲＥＱメッセージを受信しており、新旧の基地局が物理的に同じ装置だからである。より具体的に、ハンドオーバー最適化情報がＭＯＢ＿ＢＳＨＯ−ＲＥＱメッセージを受信メッセージに担われており、端末２４０ｂと２４０ｃはネットワークエントリープロセスの一部をスキップして、中継局２５０との接続時間を短くできる。
【００４４】
このように、いくつかの異なる実施形態と特徴を示した。動作上の必要性と構成要素の制約に応じて、実施形態をこれらの特徴のうちの１つ以上と組み合わせてもよい。これにより、ネットワーク２００は様々な組織やユーザのニーズに非常に適合しやすくなる。例えば、ある実施形態では、いくつかの基地局を使用して都市エリアでの無線アクセスを提供することができるし、単一の基地局をいくつかの中継局とともに使用して必要なカバレッジを提供することもできる。さらに、いくつかの実施形態では、中継局２５０の無線通信器はもっと多くても、もっと少なくてもよい。
【００４５】
図３は、一実施形態による無線ネットワークにおける接続パラメータ調整方法を示すフローチャートである。例示した方法により、なかんずく、基地局は無線接続のパラメータを動的に変更できる。本方法は、ステップ３０５と３１０で始まり、中継局は、基地局と第１の無線接続を確立し、端末と第２の無線接続を確立する。中継局は、１つ以上の端末と無線接続を確立するが、単純化のため、１つの端末のみに焦点を絞る。
【００４６】
ある時点で、基地局は第２の無線接続のパラメータの１つを変更する必要があると判断するかも知れない。例えば、追加の端末が基地局と無線接続を確立した可能性もあるし、端末が近くにある他の無線機器による干渉を受けている可能性もある。理由に拘わらず、基地局は、第２の無線接続の１つ以上のパラメータを変更する必要があると判断すると、修正要求メッセージを送信する。ステップ３１５において、中継局はその修正要求メッセージを受信する。いくつかの実施形態では、修正要求は周波数及び帯域幅変更要求（ＦＢＣ−ＲＥＣ）である。
【００４７】
中継局は、その修正要求を受信すると、それに関連するすべての無線接続及び他のパラメータや変数を評価して、修正要求を満たすことができるか判断する。中継局は、その修正要求を満たすことができると判断すると、ステップ３２０において、基地局に肯定的応答を送信する。いくつかの実施形態では、その肯定的応答はＦＢＣ応答（ＦＢＣ−ＲＳＰ）を含む。中継局が否定的応答を送信した場合には、第２の無線接続のパラメータを修正する試みは中止される。
【００４８】
基地局は、その応答を受信すると、中継局が修正要求に応じられることが分かり、更新してアイデンティティメッセージを送信する。具体的な実施形態では、更新されたアイデンティティメッセージは、基地局によりブロードキャストされる移動近傍通知（ＭＯＢ＿ＮＢＲ−ＡＤＶ）を含み得る。ＭＯＢ＿ＮＢＲ−ＡＤＶは、基地局に（直接的または間接的に）結合しているあらゆる無線機器に、他の中継局と基地局のアイデンティティとパラメータを知らせる。このメッセージは中継局の新しいアイデンティティを含む。その新しいアイデンティティは、更新されたアイデンティティメッセージに含まれた新しいパラメータを用いて端末と新しい接続を確立する時に、中継局により使用される。
【００４９】
中継局は、その応答を送信すると、更新されたアイデンティティメッセージの受信を待つ間、第１のタイマーをスタートさせる。中継局が更新されたアイデンティティメッセージを受信する前にタイマーがタイムアウトした場合、中継局は、ステップ３３５において、他の肯定的応答を送信する。いくつかの実施形態では、これはステップ３２０で送信された肯定的応答と同じものである。ある実施形態では、ステップ３３５において送信される肯定的応答は、それが肯定的応答を繰り返しているものであることを示すフィールドを含む（例えば、ＦＢＣ−ＲＳＰの確認コードが７に設定され、第１のタイマーがタイムアウトしたので送信されたことを示す）。一方、中継局は、更新されたアイデンティティメッセージを受信すると、ステップ３３０において端末にそのメッセージを転送する。
【００５０】
ステップ３４５において、中継局は端末にハンドオーバー要求を送信する。いくつかの実施形態では、移動基地局ハンドオーバー要求（ＭＯＢ＿ＢＳＨＯ−ＲＥＱ）を含む。このハンドオーバーには、元のアイデンティティとチャネルパラメータを使用している中継局から、更新されたアイデンティティメッセージに含まれる新しいアイデンティティとチャネルパラメータを使用している同じ中継局への端末のハンドオーバーも含まれる。端末は、ハンドオーバー要求を受信したことを示すＭＯＢ＿ＢＳＨＯ表示（ＭＯＢ＿ＢＳＨＯ−ＩＮＤ）等の応答で、ハンドオーバー要求に応答することができる。
【００５１】
ステップ３５０において、中継局は第２のタイマーが時間となるのを待つ。いくつかの実施形態では、第２のタイマーは、ステップ３２５において、中継局が更新されたアイデンティティメッセージを受信したときにスタートしている。タイマーがまだ時間切れとなっていなければ、中継局はそのタイマーが時間切れとなるまで、ステップ３５０に留まる。こうすることにより、端末は十分時間を取ってハンドオーバーに備えることができる。
【００５２】
次に、ステップ３５５において、第２のタイマーが時間切れとなると、中継局は、それ自体を再設定して、基地局により与えられた新しいチャネルパラメータを用いて端末と通信できるようにする。次に、ステップ３６０において、端末と中継局は、その中継局の新しいアイデンティティとチャネルパラメータを用いて再接続される。
【００５３】
図３に示したステップのいくつかは、組み合わせても、修正しても、削除してもよいし、必要に応じて、付加的ステップをフローチャートに追加してもよい。また、ステップは、本発明の範囲から逸脱することなく、好適ないかなる順序で実行することもできる。
【００５４】
様々な実施形態と特徴（feature）を複数の実施形態を参照して説明したが、言うまでもなく、動作的な必要性と希望に応じて、かかる実施と機能は様々な実施形態において組み合わせることもできる。例えば、ある図（例えば、図２）を参照して説明した特徴と機能を、他の図（例えば、図１）を参照して説明した特徴と機能に関連して使用してもよい。
【００５５】
具体的に実施形態を詳細に説明したが、言うまでもなく、本発明の精神と範囲から逸脱することなく、様々な変更、挿入、改変をすることができる。例えば、通信システム１００に含まれた端末、基地局、及び中継局等の要素を参照して実施形態を説明したが、具体的なルーティングアーキテクチャやニーズに合わせるために、これらの要素を結合、再配置、または位置決めしてもよい。また、これらの要素は、通信システム１００または（場合によっては）互いに外部の構成要素として設けてもよい。本発明は、これらの要素の構成は非常に柔軟であり、その内部構成要素も非常に柔軟である。
【００５６】
他の多数の変更、挿入、変形、改変、修正が本技術分野の当業者により解明されるかも知れないが、本発明は、かかる変更、挿入、変形、改変、修正が添付した特許請求の範囲の精神と範囲に入るものとして含むものである。
【００５７】
なお、本発明のいくつかの態様を整理すると以下の通りである。
（付記１）無線ネットワークにおいて接続パラメータを調整する方法であって、
第１のチャネルを用いて基地局と第１の無線接続を確立する段階と、
第２のチャネルを用いて端末と第２の無線接続を確立する段階と、
前記第２のチャネルを用いた前記端末との前記第２の無線接続の少なくとも１つのパラメータの修正を要求する修正要求メッセージを、前記第１のチャネルを用いて介して前記基地局から前記第１の無線接続を受信する段階と、
前記第２のチャネルを用いた前記第２の無線接続の少なくとも１つのパラメータを修正することを前記端末に通知する段階と、
前記第２のチャネルを用いた前記第２の無線接続の修正された前記少なくとも１つのパラメータを有するように、前記第２のチャネルを用いた前記第２の無線接続を修正する段階とを有する方法。
（付記２）前記第２のチャネルを用いた前記第２の無線接続の前記少なくとも１つのパラメータに前記要求された修正をすることを示す肯定的応答を前記基地局に送信する段階と、
前記第２のチャネルを用いた前記第２の無線接続の新しいアイデンティティと修正された前記少なくとも１つのパラメータとを有する更新アイデンティティメッセージを、前記基地局から受信する段階と、
前記更新アイデンティティメッセージを前記端末に転送する段階と、
前記端末が修正された前記第２の無線接続を使用することを要求するハンドオーバー要求メッセージを前記端末に送信する段階と、
前記第２のチャネルを用いた修正された前記第２の無線接続を介して、前記端末との接続を確立するのに前記新しいアイデンティティを使用する段階とをさらに有する、付記１記載の方法。
（付記３）第１のタイマーをスタートする段階と、
前記更新アイデンティティメッセージの受信前に前記第１のタイマーが時間切れとなったとき、前記第２のチャネルを用いた前記第２の無線接続の前記少なくとも１つのパラメータに要求された前記修正がなされることを示す繰り返し肯定的応答を前記基地局に送信する段階とをさらに有する、付記２に記載の方法。
（付記４）第２のタイマーをスタートする段階と、
前記第２のタイマーが時間切れとなったとき、前記第２のチャネルを用いた前記第２の無線接続の修正された前記少なくとも１つのパラメータを有するように、前記第２のチャネルを用いた前記第２の無線接続を修正する段階とをさらに有する、付記２に記載の方法。
（付記５）前記更新アイデンティティメッセージは移動近傍通知（ＭＯＢ＿ＮＢＲ−ＡＤＶ）を有する、付記２に記載の方法。
（付記６）前記第２のチャネルを用いた前記第２の無線接続の前記少なくとも１つのパラメータに要求された前記修正がなされないことを示す否定的応答を前記基地局に送信する段階をさらに有する、付記１に記載の方法。
（付記７）前記第１の無線接続と前記第２の無線接続はＷｉＭＡＸ（８０２．１６  Worldwide  Interoperability  for  Microwave  Access）を使用する、付記１に記載の方法。
（付記８）前記第２のチャネルを用いた前記第２の無線接続の修正された前記少なくとも１つのパラメータは、前記第２のチャネルを用いた前記第２の無線接続の修正された中心周波数を含む、付記１記載の方法。
（付記９）前記第２のチャネルを用いた前記第２の無線接続の修正された前記少なくとも１つのパラメータは、前記第２のチャネルを用いた前記第２の無線接続の修正された帯域幅を含む、付記１記載の方法。
（付記１０）無線ネットワークにおける接続パラメータを調整する方法であって、
第２のチャネルを用いて端末と第２の無線接続を確立した中継局と、第１のチャネルを用いて第１の無線接続を確立する段階と、
前記第２のチャネルを用いて前記第２の無線接続の少なくとも１つのパラメータの修正トリガーを識別する段階と、
前記第２のチャネルを用いた前記第２の無線接続の修正された前記少なくとも１つのパラメータを有するように、前記第２のチャネルを用いた前記第２の無線接続を前記中継局が修正することを要求する修正要求メッセージを、前記第１のチャネルを用いた前記第１の無線接続を介して前記中継局に送信する段階とを有する方法。
（付記１１）前記中継局は第１のアイデンティティと関連付けられ、
前記第２のチャネルを用いた前記第２の無線接続の前記少なくとも１つのパラメータに要求された前記修正をすることを示す肯定的応答を受信した時、
前記中継局の第２のアイデンティティを生成する段階と、
前記中継局の前記第２のアイデンティティと、前記第２のチャネルを用いた前記第２の無線接続の修正された前記少なくとも１つのパラメータとを有する更新アイデンティティメッセージをブロードキャストする段階とをさらに有する、付記１０に記載の方法。
（付記１２）前記更新アイデンティティメッセージは移動近傍通知（ＭＯＢ＿ＮＢＲ−ＡＤＶ）を有する、付記１１に記載の方法。
（付記１３）前記第１の無線接続と前記第２の無線接続はＷｉＭＡＸ（８０２．１６  Worldwide  Interoperability  for  Microwave  Access）を使用する、付記１０に記載の方法。
（付記１４）前記第２のチャネルを用いた前記第２の無線接続の修正された前記少なくとも１つのパラメータは、前記第２のチャネルを用いた前記第２の無線接続の修正された中心周波数を含む、付記１０記載の方法。
（付記１５）前記第２のチャネルを用いた前記第２の無線接続の修正された前記少なくとも１つのパラメータは、前記第２のチャネルを用いた前記第２の無線接続の修正された帯域幅を含む、付記１０記載の方法。
（付記１６）無線ネットワークにおいて接続パラメータを調整するシステムであって、
第１のチャネルを用いて基地局と第１の無線接続を確立し、
第２のチャネルを用いて端末と第２の無線接続を確立し、
前記第２のチャネルを用いた前記端末との前記第２の無線接続の少なくとも１つのパラメータの修正を要求する修正要求メッセージを、前記第１のチャネルを用いて介して前記基地局から前記第１の無線接続を受信し、
前記第２のチャネルを用いた前記第２の無線接続の少なくとも１つのパラメータを修正することを前記端末に通知するインターフェイスと、
前記第２のチャネルを用いた前記第２の無線接続の修正された前記少なくとも１つのパラメータを有するように、前記第２のチャネルを用いた前記第２の無線接続を修正する、前記インターフェイスと結合したプロセッサとを有するシステム。
（付記１７）前記インターフェイスは、さらに
前記第２のチャネルを用いた前記第２の無線接続の前記少なくとも１つのパラメータに前記要求された修正をすることを示す肯定的応答を前記基地局に送信し、
前記第２のチャネルを用いた前記第２の無線接続の新しいアイデンティティと修正された前記少なくとも１つのパラメータとを有する更新アイデンティティメッセージを、前記基地局から受信し、
前記更新アイデンティティメッセージを前記端末に転送し、
前記端末が修正された前記第２の無線接続を使用することを要求するハンドオーバー要求メッセージを前記端末に送信し、
前記第２のチャネルを用いた修正された前記第２の無線接続を介して、前記端末との接続を確立するのに前記新しいアイデンティティを使用する、付記１６に記載のシステム。
（付記１８）前記プロセッサはさらに、第１のタイマーをスタートさせ、
前記インターフェイスはさらに、前記更新アイデンティティメッセージの受信前に前記第１のタイマーが時間切れとなったとき、前記第２のチャネルを用いた前記第２の無線接続の前記少なくとも１つのパラメータに要求された前記修正がなされることを示す繰り返し肯定的応答を前記基地局に送信する、付記１７に記載のシステム。
（付記１９）前記プロセッサは、さらに
第２のタイマーをスタートさせ、
前記第２のタイマーが時間切れとなったとき、前記第２のチャネルを用いた前記第２の無線接続の修正された前記少なくとも１つのパラメータを有するように、前記第２のチャネルを用いた前記第２の無線接続を修正する、付記１７に記載のシステム。
（付記２０）前記更新アイデンティティメッセージは移動近傍通知（ＭＯＢ＿ＮＢＲ−ＡＤＶ）を有する、付記１７に記載のシステム。
（付記２１）前記第２のチャネルを用いた前記第２の無線接続の修正された前記少なくとも１つのパラメータは、前記第２のチャネルを用いた前記第２の無線接続の修正された中心周波数を含む、付記１６記載のシステム。
（付記２２）前記第２のチャネルを用いた前記第２の無線接続の修正された前記少なくとも１つのパラメータは、前記第２のチャネルを用いた前記第２の無線接続の修正された帯域幅を含む、付記１６記載のシステム。
（付記２３）無線ネットワークにおける接続パラメータを調整するシステムであって、
第２のチャネルを用いて端末と第２の無線接続を確立した中継局と、第１のチャネルを用いて第１の無線接続を確立するインターフェイスと、
前記第２のチャネルを用いて前記第２の無線接続の少なくとも１つのパラメータの修正トリガーを識別する、前記インターフェイスと結合したプロセッサとを有し、
前記インターフェイスは、さらに、前記第２のチャネルを用いた前記第２の無線接続の修正された前記少なくとも１つのパラメータを有するように、前記第２のチャネルを用いた前記第２の無線接続を前記中継局が修正することを要求する修正要求メッセージを、前記第１のチャネルを用いた前記第１の無線接続を介して前記中継局に送信するシステム。
（付記２４）前記中継局は第１のアイデンティティと関連付けられ、
前記プロセッサは、さらに、前記第２のチャネルを用いた前記第２の無線接続の前記少なくとも１つのパラメータに要求された前記修正をすることを示す肯定的応答を受信した時、前記中継局の第２のアイデンティティを生成し、
前記インターフェイスは、さらに、前記中継局の前記第２のアイデンティティと、前記第２のチャネルを用いた前記第２の無線接続の修正された前記少なくとも１つのパラメータとを有する更新アイデンティティメッセージをブロードキャストする段階とをさらに有する、付記２３に記載のシステム。
（付記２５）前記更新アイデンティティメッセージは移動近傍通知（ＭＯＢ＿ＮＢＲ−ＡＤＶ）を有する、付記２４に記載のシステム。
（付記２６）前記第２のチャネルを用いた前記第２の無線接続の修正された前記少なくとも１つのパラメータは、前記第２のチャネルを用いた前記第２の無線接続の修正された中心周波数を含む、付記２３記載のシステム。
（付記２７）前記第２のチャネルを用いた前記第２の無線接続の修正された前記少なくとも１つのパラメータは、前記第２のチャネルを用いた前記第２の無線接続の修正された帯域幅を含む、付記２３記載のシステム。
（付記２８）コンピュータ読み出し可能媒体に化体されたロジックであって、前記コンピュータ読み出し可能媒体は、
第１のチャネルを用いて基地局と第１の無線接続を確立し、
第２のチャネルを用いて端末と第２の無線接続を確立し、
前記第２のチャネルを用いた前記端末との前記第２の無線接続の少なくとも１つのパラメータの修正を要求する修正要求メッセージを、前記第１のチャネルを用いて介して前記基地局から前記第１の無線接続を受信し、
前記第２のチャネルを用いた前記第２の無線接続の少なくとも１つのパラメータを修正することを前記端末に通知し、
前記第２のチャネルを用いた前記第２の無線接続の修正された前記少なくとも１つのパラメータを有するように、前記第２のチャネルを用いた前記第２の無線接続を修正するするコードを有する媒体。
（付記２９）前記コードは、さらに、
前記第２のチャネルを用いた前記第２の無線接続の前記少なくとも１つのパラメータに前記要求された修正をすることを示す肯定的応答を前記基地局に送信し、
前記第２のチャネルを用いた前記第２の無線接続の新しいアイデンティティと修正された前記少なくとも１つのパラメータとを有する更新アイデンティティメッセージを、前記基地局から受信し、
前記更新アイデンティティメッセージを前記端末に転送し、
前記端末が修正された前記第２の無線接続を使用することを要求するハンドオーバー要求メッセージを前記端末に送信し、
前記第２のチャネルを用いた修正された前記第２の無線接続を介して、前記端末との接続を確立するのに前記新しいアイデンティティを使用する、付記２８記載の媒体。
（付記３０）前記コードは、さらに、
第１のタイマーをスタートし、
前記更新アイデンティティメッセージの受信前に前記第１のタイマーが時間切れとなったとき、前記第２のチャネルを用いた前記第２の無線接続の前記少なくとも１つのパラメータに要求された前記修正がなされることを示す繰り返し肯定的応答を前記基地局に送信する、付記２９に記載の媒体。
（付記３１）前記コードは、さらに、
第２のタイマーをスタートし、
前記第２のタイマーが時間切れとなったとき、前記第２のチャネルを用いた前記第２の無線接続の修正された前記少なくとも１つのパラメータを有するように、前記第２のチャネルを用いた前記第２の無線接続を修正する、付記２９に記載の媒体。
（付記３２）前記更新アイデンティティメッセージは移動近傍通知（ＭＯＢ＿ＮＢＲ−ＡＤＶ）を有する、付記２９に記載の媒体。
（付記３３）前記第２のチャネルを用いた前記第２の無線接続の修正された前記少なくとも１つのパラメータは、前記第２のチャネルを用いた前記第２の無線接続の修正された中心周波数を含む、付記２８記載の媒体。
（付記３４）前記第２のチャネルを用いた前記第２の無線接続の修正された前記少なくとも１つのパラメータは、前記第２のチャネルを用いた前記第２の無線接続の修正された帯域幅を含む、付記２９記載の媒体。
（付記３５）コンピュータ読み出し可能媒体に化体されたロジックであって、前記コンピュータ読み出し可能媒体は、
第２のチャネルを用いて端末と第２の無線接続を確立した中継局と、第１のチャネルを用いて第１の無線接続を確立し、
前記第２のチャネルを用いて前記第２の無線接続の少なくとも１つのパラメータの修正トリガーを識別し、
前記第２のチャネルを用いた前記第２の無線接続の修正された前記少なくとも１つのパラメータを有するように、前記第２のチャネルを用いた前記第２の無線接続を前記中継局が修正することを要求する修正要求メッセージを、前記第１のチャネルを用いた前記第１の無線接続を介して前記中継局に送信するコードを有する媒体。
（付記３６）前記中継局は第１のアイデンティティと関連付けられ、
前記コードは、さらに、
前記第２のチャネルを用いた前記第２の無線接続の前記少なくとも１つのパラメータに要求された前記修正をすることを示す肯定的応答を受信した時、
前記中継局の第２のアイデンティティを生成し、
前記中継局の前記第２のアイデンティティと、前記第２のチャネルを用いた前記第２の無線接続の修正された前記少なくとも１つのパラメータとを有する更新アイデンティティメッセージをブロードキャストする、付記３５に記載の媒体。
（付記３７）前記更新アイデンティティメッセージは移動近傍通知（ＭＯＢ＿ＮＢＲ−ＡＤＶ）を有する、付記３６に記載の媒体。
（付記３８）前記第２のチャネルを用いた前記第２の無線接続の修正された前記少なくとも１つのパラメータは、前記第２のチャネルを用いた前記第２の無線接続の修正された中心周波数を含む、付記３５記載の媒体。
（付記３９）前記第２のチャネルを用いた前記第２の無線接続の修正された前記少なくとも１つのパラメータは、前記第２のチャネルを用いた前記第２の無線接続の修正された帯域幅を含む、付記３５記載の媒体。
（付記４０）無線ネットワークにおいて接続パラメータを調整するシステムであって、
第１のチャネルを用いて基地局と第１の無線接続を確立する手段と、
第２のチャネルを用いて端末と第２の無線接続を確立する手段と、
前記第２のチャネルを用いた前記端末との前記第２の無線接続の少なくとも１つのパラメータの修正を要求する修正要求メッセージを、前記第１のチャネルを用いて介して前記基地局から前記第１の無線接続を受信する手段と、
前記第２のチャネルを用いた前記第２の無線接続の少なくとも１つのパラメータを修正することを前記端末に通知する手段と、
前記第２のチャネルを用いた前記第２の無線接続の修正された前記少なくとも１つのパラメータを有するように、前記第２のチャネルを用いた前記第２の無線接続を修正する手段とを有するシステム。
（付記４１）無線ネットワークにおける接続パラメータを調整するシステムであって、
第２のチャネルを用いて端末と第２の無線接続を確立した中継局と、第１のチャネルを用いて第１の無線接続を確立する手段と、
前記第２のチャネルを用いて前記第２の無線接続の少なくとも１つのパラメータの修正トリガーを識別する手段と、
前記第２のチャネルを用いた前記第２の無線接続の修正された前記少なくとも１つのパラメータを有するように、前記第２のチャネルを用いた前記第２の無線接続を前記中継局が修正することを要求する修正要求メッセージを、前記第１のチャネルを用いた前記第１の無線接続を介して前記中継局に送信する手段とを有するシステム。
【図面の簡単な説明】
【００５８】
【図１】一実施形態による、様々な通信ネットワークを含む通信システムを示す概略図である。
【図２】一実施形態による、基地局と中継局を詳細に示した無線ネットワークを示す概略図である。
【図３】一実施形態による、無線ネットワークにおける接続パラメータを調整する方法を示すフローチャートである。
【符号の説明】
【００５９】
１００  通信システム
１１０  ネットワーク
１２０  基地局
１３０  中継局
１４０  端末
１５０  無線接続
１６０  有線リンク
１７０  ノード
２００  無線ネットワーク
２１０  基地局
２１２  プロセッサ
２１４  メモリモジュール
２１６  インターフェイス
２１７  無線通信器
２１８  アンテナ
２４０  端末
２５０  中継局
２５２  プロセッサ
２５４  メモリモジュール
２５７  無線通信器
２５８  アンテナ
【図１】
2008048415.tif 000003
【図２】
2008048415.tif 000004
【図３】
2008048415.tif 000005